(57)【要約】      （修正有）【課題】建築物の外装材の取付作業において、迅速に作業を行うことの出来るスペーサーを提供する。【解決手段】スペーサー１は、帯板状の硬質発泡体で形成され、上下表面には長手方向に直交する任意位置に配置された溝２と、該溝２の底部に切れ目３を設けられていると共に、下表面には粘着剤４と、切れ目３の設けていない離型紙５を備えていることを特徴とする。スペーサー１は、溝２の底部の切れ目３の部分に沿って折り曲げることで、容易に分断することが出来る。このとき、離型紙５には切れ目が設けていないため、一緒に分断されることなく、帯状に残っている。したがって、分断したスペーサー１だけを離型紙５から容易に剥がすことが出来る。【選択図】図１
0003147814.tif 000002
【実用新案登録請求の範囲】
【請求項１】
建築物の外装材の裏面において、胴縁と、前記外装材、又は前記外装材を固定する取付金具との間に介在するスペーサーであって、帯板状の硬質発泡体で形成され、上下表面には長手方向に直交する任意位置に配置された溝と、該溝の底部に切れ目を設けられていると共に、下表面には粘着材と、切れ目の設けていない離型紙を備えていることを特徴とするスペーサー
【考案の詳細な説明】
【技術分野】
【０００１】  本考案は、建築物の外装材の裏面において、胴縁と、前記外装材、又は前記外装材を固定する取付金具との間に介在するスペーサーに関するものである。
【背景技術】
【０００２】  一般に、建築物の外装材の裏面には、垂直方向に配置された胴縁と、前記外装材、又は前記外装材を固定する取付金具との間に下地材としてスペーサーを介在し、不陸調整を行っていた。
【考案の開示】
【考案が解決しようとする課題】
【０００３】  従来、スペーサーには、樹脂で形成され、下表面には粘着材と、離型紙を備えた板材を使用することがあった。取付する場合は、前記離型紙を剥がして胴縁に貼付していた。【０００４】  しかしながら、従来のスペーサーを離型紙から剥がすときは、作業手袋をしている場合は非常に剥がしにくく、そのため作業手袋を外す必要があった。【０００５】  また、取付範囲によっては、スペーサーを複数個取付する必要があるなど、非常に作業効率が悪かった。
【課題を解決するための手段】
【０００６】  本考案は、建築物の外装材の取付作業において、胴縁と、前記外装材、又は前記外装材を固定する取付金具との間に介在するスペーサーであって、帯板状の硬質発泡体で形成され、上下表面には長手方向に直交する任意位置に配置された溝と、該溝の底部に切れ目を設けられていると共に、下表面には粘着材と、切れ目の設けていない離型紙を備えていることで、迅速に作業を行うことが出来るため、これにより上記課題を解決するものである。
【考案の効果】
【０００７】  本考案に係るスペーサーは、上下表面には長手方向に直交する任意位置に配置された溝と、該溝の底部に切れ目の部分に沿って折り曲げることで、容易に分断することが出来る。このとき、離型紙には切れ目が設けていないため、一緒に分断されることなく、帯状に残っている。したがって、分断したスペーサーだけを離型紙から剥がすことが容易に出来る。【０００８】  また、上記のように任意位置で分断することが出来るため、現場に応じてスペーサーを適宜長さに作製することが出来る。
【考案の実施するための最良の形態】
【０００９】  図１、図２で示すように、本考案に係るスペーサー１は、帯板状の硬質発泡体で形成され、例えば幅寸法４０ｍｍ、長さ寸法を１０００ｍｍ、厚み寸法を２〜１５ｍｍに設定している。そして、上下表面には長手方向に直交する任意位置に配置された溝２と、該溝の底部にある切れ目３が設けられている。前記溝２は、例えばＶ字形状に形成され、深さ寸法は０．５〜１ｍｍに設定し、前記切れ目３は、例えば深さ寸法を１ｍｍに設定している。さらに下表面には、粘着材４と、切れ目の設けていない離型紙５を備えている。
【００１０】  図３に示すように、本考案に係るスペーサー１は、建築物の外装材６取付作業において、胴縁７と前記外装材６との間に介在し、不陸調整を行うものである。尚、前記外装材６は、ビス、又は釘９にて打ち込み固定されている。
【００１１】  また、図４に示すように、本考案に係るスペーサー１は、建築物の外装材６取付作業において、胴縁７と前記外装材６を固定する取付金具８との間に介在し、不陸調整を行うものである。尚、前記取付金具８は、ビス、又は釘９にて打ち込み固定されている。
【００１２】  図５に示すように、本考案に係るスペーサー１は、上下表面には長手方向に直交する任意位置に配置された溝２と、切れ目３の部分を任意の場所で折り曲げることで、分断したスペーサー１ａが出来る。
【００１３】  図６に示すように、図５で分断したスペーサー１ａを、離型紙５から容易に剥がすことが出来る。
【００１４】  図７に示すように、図６で分断したスペーサー１ａを、図３、図４のように胴縁７と、外装材６、又は外装材６を固定する取付金具８との間に介在するように胴縁７に貼付する。
【００１５】  また、図８に示すように、任意の長さに分断したスペーサー１ｂを、図３、図４のように胴縁７と、外装材６、又は外装材６を固定する取付金具８との間に介在するように胴縁７に貼付する。
【００１６】  本考案に係るスペーサー１は、帯板状の硬質発泡材で形成されている。例えば塩化ビニル、ポリエチレン、ポリプロピレン、ウレタン系樹脂の硬質発泡材とする。
【産業上の利用可能性】
【００１７】  本考案は、建築物の外装材の取付作業において、迅速に作業を行うことの出来るスペーサーを提供することを目的とするものであって、多くの胴縁と、前記外装材、又は前記外装材を固定する取付金具との間に介在するスペーサーとして広く利用することが出来る。
【図面の簡単な説明】
【００１８】
【図１】本考案の実施形態のスペーサーを示す斜視図である。
【図２】本考案の実施形態のスペーサーを示す断面図である。
【図３】胴縁と外装材との間に介在する分断したスペーサーを示す断面図である。
【図４】胴縁と外装材を固定する取付金具との間に介在する分断したスペーサーを示す断面図である。
【図５】図２のスペーサーを折り曲げた状態を示す断面図である。
【図６】図５の折り曲げたスペーサーを離型紙から剥がし、分断した状態を示す断面図である。
【図７】分断したスペーサーを胴縁に貼付した状態の斜視図である。
【図８】任意の長さに分断したスペーサーを胴縁に貼付した状態の斜視図である。
【符号の説明】
【００１９】        １          スペーサー
１ａ、１ｂ  分断したスペーサー
２          Ｖ字形状の溝
３          切れ目
４          粘着材
５          離型紙
６          外装材
７          胴縁
８          取付金具
９          ビス、又は釘
【図１】
0003147814.tif 000003
【図２】
0003147814.tif 000004
【図３】
0003147814.tif 000005
【図４】
0003147814.tif 000006
【図５】
0003147814.tif 000007
【図６】
0003147814.tif 000008
【図７】
0003147814.tif 000009
【図８】
0003147814.tif 000010